(57)【要約】      （修正有）【課題】ユーザが画像読み取り装置の原稿台に書籍等を見開いた状態でセットした後に操作パネルを操作することにより、画像読み取り装置により読み取られた書籍の画像が１ページごとに反転していても、逆向きで読み込まれたページを反転してから出力することにより、全てのページの方向が揃った出力画像を得ることができる画像処理装置を提供する。【解決手段】ページ単位で原稿を読み込み画像データを生成する画像読取部７と、方向に関するデータを入力する入力部４と、ページ単位で前記画像データの方向を判断する方向判断部８と、前記方向判断部の判断結果に基づきページ単位で前記画像データの回転する方向を変える画像回転部９とを有する。【選択図】図１
2010087852.tif 000002
【特許請求の範囲】
【請求項１】
ページ単位で原稿を読み込み画像データを生成する画像読取部と、
方向に関するデータを入力する入力部と、
ページ単位で前記画像データの方向を判断する方向判断部と、
前記方向判断部の判断結果に基づきページ単位で前記画像データの回転する方向を変える画像回転部とを有することを特徴とする画像処理装置。
【請求項２】
前記入力部は、前記画像読み取り部で読み込みを行うページの方向を入力し、
前記方向判断部は、前記入力部が入力したページの方向を前記画像データのページ各々に対応する方向と判断することを特徴とする請求項１に記載の画像処理装置。
【請求項３】
前記入力部は、第１方向を入力する第１選択手段と、第１方向とは異なる第２方向を入力する第２選択手段とを有し、
前記画像回転部は、前記第１方向と判断されたページの向き又は前記第２方向と判断されたページの向きを回転して合わせることを特徴とする請求項２に記載の画像処理装置。
【請求項４】
前記画像回転部は、前記第１方向と判断されたページの向きを読み取られた方向に合わせ、前記第２方向と判断されたページの向きを読み取られた方向と逆方向に回転して合わせることを特徴とする請求項３に記載の画像処理装置。
【請求項５】
前記入力部は、前記画像読み取り部で読み込みを行う最初のページの方向を入力し、
前記方向判断部は、前記画像データの偶数ページを第１方向と判断し、奇数ページを第１方向と異なる第２方向と判断し、
前記画像回転部は、前記第１方向と判断されたページの向き又は前記第２方向と判断されたページの向きを回転して合わせることを特徴とする請求項２に記載の画像処理装置。
【請求項６】
前記画像回転部は、前記第１方向と判断されたページの回転と前記第２方向と判断されたページの回転とを異ならせることを特徴とする請求項５に記載の画像処理装置。
【請求項７】
前記入力部は、前記方向に関するデータとして前記画像読み取り部にて前記原稿の近傍を読み取った原稿近傍画像データを入力し、
前記方向判断部は、前記原稿近傍画像データから前記画像データの方向を判断することを特徴とする請求項１に記載の画像処理装置。
【請求項８】
前記方向判断部は、前記原稿近傍の画像パタンを判断し、前記パタンに基づいてページ単位で前記画像データの方向を判斷することを特徴とする請求項７に記載の画像処理装置。
【請求項９】
前記画像回転部は、ページ単位で前記画像データの前記パタンが付与されていた方向を所定の向きに合わせる方向に回転することを特徴とする請求項８に記載の画像処理装置。
【請求項１０】
前記方向判断部は、前記原稿と共に読み込んだ前記原稿の方向を示す目印を抽出し、前記目印に基づいて前記画像データの方向を判断することを特徴とする請求項８に記載の画像処理装置。
【請求項１１】
前記目印は、前記原稿に挟み込まれた栞であることを特徴とする請求項１０に記載の画像処理装置。
【請求項１２】
前記方向判断部は、前記原稿近傍にある原稿領域外の広さからページ単位で前記画像データの方向を判断することを特徴とする請求項７に記載の画像処理装置。
【請求項１３】
前記画像回転部は、ページ単位で前記画像データの前記原稿領域外にある広さが広い辺の方向を所定の向きに合わせる方向に回転することを特徴とする請求項１２に記載の画像処理装置。
【請求項１４】
前記原稿は、見開いた状態で読み取られる書籍であることを特徴とする請求項１に記載の画像処理装置。
【発明の詳細な説明】
【技術分野】
【０００１】
本発明は、画像読み取り装置から入力された画像データを所定の制御に基づいて同一の方向に揃えてから出力する画像処理装置に関する。
【背景技術】
【０００２】
従来、例えばＡ４版サイズに対応した一般的な画像読み取り装置において、Ａ４版サイズの長辺側で原稿台カバーを開閉する形式の装置の場合、原稿台カバーを１８０度の角度になるように開けなければ、Ａ４版サイズの書籍等を見開いた状態で、一方のページを原稿台にセットして画像を読み取った後に、他方のページの画像も読み取るために、原稿台にセットした書籍を並行移動させて読み込むことはできない。すなわち、画像読み取り装置の設置環境等に起因して、原稿台カバーを１８０度の角度に開けることができなければ、書籍が原稿台カバーに干渉してしまう。
【０００３】
従って、書籍の任意のページを見開き、一方のページを原稿台にセットして画像を読み取った後に、他方のページの画像を読み取るためには、原稿台で書籍を上下に反転させる必要がある。このため、書籍に印刷された画像を読み取った画像データを９０度回転することにより、画像の本来の読み取り方向と同一にする技術がある(例えば、特許文献１参照。)。
【０００４】
【特許文献１】特開平５-１１０８１３号公報
【発明の開示】
【発明が解決しようとする課題】
【０００５】
しかしながら、前述の構成では、書籍の複数のページを続けて読み込む途中で、原稿の向きを反転させた状態で取り込んだ画像をそのまま出力してしまうと、画像の向きが途中のページで逆になることから扱いづらい問題が有った。
【０００６】
そこで、本発明は前述の技術的な課題に鑑み、ユーザが画像読み取り装置の原稿台に書籍等を見開いた状態でセットした後に操作パネルを操作することにより、画像読み取り装置により読み取られた書籍の画像が１ページごとに反転していても、逆向きで読み込まれたページを反転してから出力することにより、全てのページの方向が揃った出力画像を得ることができる画像処理装置の提供を目的とする。
【課題を解決するための手段】
【０００７】
前述の課題を解決すべく、本発明に係る画像処理装置は、ページ単位で原稿を読み込み画像データを生成する画像読取部と、方向に関するデータを入力する入力部と、ページ単位で前記画像データの方向を判断する方向判断部と、前記方向判断部の判断結果に基づきページ単位で前記画像データの回転する方向を変える画像回転部とを有することを特徴とする。
【発明の効果】
【０００８】
本発明に係る画像処理装置によれば、画像読み取り装置により読み込まれた書籍の画像が１ページごとに反転していても、逆向きで読み込まれたページを反転してから出力することにより、全てのページの方向が揃った出力画像を得ることができる。
【発明を実施するための最良の形態】
【０００９】
以下、本発明の画像処理装置に係る好適な実施形態について図面を参照しながら説明する。なお、本発明の画像処理装置は、以下の記述に限定されるものではなく、本発明の要旨を逸脱しない範囲において、適宜変更可能である。
【００１０】
［第１の実施形態］
まず、本実施形態の画像処理装置１について、図１を参照しながら説明する。図１に画像処理装置１の構成図を示す。
【００１１】
画像処理装置１は、複数枚の原稿から画像データを読み取り、当該読み取った画像データを所定の向きに回転させた後に、記録媒体に印刷又はメモリに保存する。この様な画像処理装置１は、ＣＰＵ２、メモリ領域３、操作パネル４、設定記憶部５、画像制御部６、画像読取部７、方向判断部８、画像回転部９、及び画像印刷部１０から構成される。以下、画像処理装置１を構成する各構成部材について、具体的に説明する。
【００１２】
画像処理装置１内のＣＰＵ２は、マイクロプロセッサなどから構成され、ファームウェアに係るプログラムを実行することにより画像処理装置１の全体の制御を行う。また、メモリ領域３は、入力部であり、ＲＡＭ及びＦｌａｓｈメモリなどから構成され、プログラムの実行に必要となる情報、及び原稿から読み取った画像データを一時的に格納する。また、操作パネル４は、画像処理装置１のユーザが情報入力操作などを行うための操作部であり、且つ、画像処理装置１の動作状態及び各種情報などを表示する。また、設定記憶部５は、電気的に読み書き可能なＦｌａｓｈメモリなどから構成され、プログラムの実行に必要な各設定値が格納されている。また、設定記憶部５内に設けられた方向指定状態５Ａは、画像処理装置１のユーザが操作パネル４で指定した原稿の読込み方向を数値で保持する。具体的には、例えば原稿の上側が画像読取部７の読み取り開始位置である左側に配置されるように、原稿を画像読取部７にセットした場合、原稿の読込み方向を数値０で保持する。同様に、例えば原稿の下側が画像読取部７の読み取り開始位置である左側に配置されるように、原稿を画像読取部７にセットした場合、原稿の読込み方向を数値１で保持する。
【００１３】
画像処理装置１内の画像制御部６は、画像データを処理する各構成部材に対して所定の動作を指示する。また、画像読取部７は、画像処理装置１のユーザが載置した原稿に印刷された画像を読み取り画像データに変換する。なお、画像読取部７の詳細は後述する。また、方向判断部８は、画像処理装置１のユーザが操作パネル４で指定した原稿の方向に基づき、画像読取部７で読み取られた原稿に係る画像データを回転させる必要があるかを判断する。また、画像回転部９は、方向判断部８が判断した結果に基づいて、画像読取部７で読み取られた原稿に係る画像データを回転させる。また、画像印刷部１０は、画像読取部７で読み取られて同一の方向に整列された画像データを、図示せぬ画像形成部、転写部、及び定着部等により記録媒体に印刷する。
【００１４】
次に、画像処理装置１に設けられた画像読取部７に係る構成及び動作の詳細について、図２及び図３を参照しながら説明する。図２に画像読取部７を用いてブック原稿３０に印刷された画像を上側から下側に向かって読み取る状態を模式図で示す。また、図３に画像読取部７を用いて載置向きを上下に反転させたブック原稿３０に印刷された画像を下側から上側に向かって読み取る状態を模式図で示す。
【００１５】
画像読取部７に係る構成について詳細に説明する。画像読取部７は、筐体２０、原稿台カバー２１、イメージセンサ２２、及び原稿載置台２３から構成され、載置されたブック原稿３０に印刷された画像を読み取り画像データに変換する。なお、ブック原稿３０は、例えば文字や写真等から成る画像が印刷された書籍である。また、画像読取部７には操作パネル４が配設される。具体的には、操作パネル４は、筐体２０の上面に設けられた透明ガラスからなる原稿載置台２３の外周部に設けられる。また、画像読取部７を構成する筐体２０は、例えばプラスチック等により略箱状部から形成される。この様な筐体２０は、内部にイメージセンサ２２を配設し、且つ、上面部に原稿載置台２３を設けている。また、原稿台カバー２１は、例えばプラスチック等から形成された略板状部から構成され、筐体２０の側面に回動可能に設けられている。この様な原稿台カバー２１によりブック原稿３０が載置された原稿載置台２３を覆い、イメージセンサ２２によりブック原稿３０に印刷された画像を読み取る時に外部からの迷光を遮断する。
【００１６】
画像読取部７を構成するイメージセンサ２２は、図示せぬ光源、レンズ、軸外し用ミラー、検出器、及び走査ユニット等から構成され、光源からの照明光によりブック原稿３０で反射した反射光を球面収差や非点収差等を補正して検出器で受光する。この様なイメージセンサ２２の光源には例えば蛍光ランプ等を用い、レンズには非球面レンズ等を用い、ミラーには平面鏡等を用い、検出器にはＣＣＤ等を用いる。この様なイメージセンサ２２は、筐体２０の内部に配設される。なお、イメージセンサ２２の走査ユニットは、図示せぬ搭載ベース、レール、駆動ベルト、及び駆動モータ等から構成され、前述した光源、レンズ、軸外し用ミラー、及び検出器を搭載して走査することにより、ブック原稿３０の全面に印刷された画像を読み取る走査部である。また、原稿載置台２３は透明ガラス等から形成され、画像データを生成するブック原稿３０を載置する。この様な原稿載置台２３は、イメージセンサ２２から照射された照明光を透過させた後、原稿載置台２３に載置されたブック原稿３０からの反射光を透過させ、当該反射光がイメージセンサ２２に入射するように配置される。
【００１７】
画像読取部７に係る動作について詳細に説明する。まず、ブック原稿３０に印刷された画像を、ブック原稿３０の上側から下側の方向に向かって読み取る動作について、図２を参照しながら説明する。ブック原稿３０に係る印刷画像の上側が画像読取部７の読み取り開始位置である原稿載置台２３の図中左側付近に配置されるように、ブック原稿３０を画像読取部７の原稿載置台２３にセットする。ここで、ユーザが操作パネル４を操作して画像読取部７を動作させると、原稿載置台２３の図中左端部に配置されているイメージセンサ２２が、図中右端部に走査しながらブック原稿３０を読み取り、元の左端部に戻る。次に、ブック原稿３０に印刷された画像を、ブック原稿３０の下側から上側の方向に向かって読み取る動作について、図３を参照しながら説明する。ブック原稿３０が書籍である場合、任意のページを見開いて、一方のページの画像を読み取った後に、他方のページの画像も読み取るためには、原稿載置台２３にセットしたブック原稿３０を並行に移動すれば良い。しかし、原稿載置台２３に設けられた原稿台カバー２１にブック原稿３０が接触して干渉することにより、ブック原稿３０を並行に移動できない場合がある。このため、ブック原稿３０に係る印刷画像の下側が画像読取部７の読み取り開始位置である原稿載置台２３の図中左側付近に配置されるように、載置向きを上下に反転させたブック原稿３０を画像読取部７の原稿載置台２３にセットする。ここで、ユーザが操作パネル４を操作して画像読取部７を動作させると、原稿載置台２３の図中左端部に配置されているイメージセンサ２２が、図中右端部に走査しながらブック原稿３０を読み取り、元の左端部に戻る。なお、操作パネル４の操作方法の詳細は後述する。
【００１８】
次に、画像読取部７に設けられた操作パネル４に係る構成及び動作の詳細について、図４及び図５を参照しながら説明する。図４及び図５に操作パネル４に表示されたブック原稿コピー画面の模式図を示す。
【００１９】
操作パネル４におけるブック原稿コピー画面には、カラースタートアイコン４１、モノクロスタートアイコン４２、ストップアイコン４３、上側走査方向指定アイコン４４、及び下側走査方向指定アイコン４５のアイコンが設けられる。複数の当該アイコンを画像処理装置１のユーザが選択して押下することにより、画像読取部７に載置されたブック原稿３０の読み取り条件を設定する。なお、図４は操作パネル４においてブック原稿３０に印刷された画像を上側から読む取る時に用いる上側走査方向指定アイコン４４が押下された状態のブック原稿コピー画面４０に係る模式図である。同様に、図５は操作パネル４においてブック原稿３０に印刷された画像を下側から読む取る時に用いる下側走査方向指定アイコン４５が押下された状態のブック原稿コピー画面４８に係る模式図である。以下、ブック原稿コピー画面に設けられた各アイコンについて説明する。
【００２０】
ブック原稿コピー画面に設けられたカラースタートアイコン４１は、カラーコピーの開始を指示するアイコンであり、ユーザが押下すると、画像読取部７の原稿載置台２３にセットしたブック原稿３０に印刷された画像がイメージセンサ２２により読み取られ、カラーの画像データに変換される。同様に、モノクロスタートアイコン４２は、モノクロコピーの開始を指示するアイコンであり、ユーザが押下すると、画像読取部７の原稿載置台２３にセットしたブック原稿３０に印刷された画像がイメージセンサ２２により読み取られ、白黒の画像データに変換される。ストップアイコン４３は、ブック原稿３０のコピーの終了を指示するアイコンであり、ユーザが押下すると、画像読取部７の動作が停止される。
【００２１】
ブック原稿コピー画面に設けられた上側走査方向指定アイコン４４は、第１の選択手段である。また、上側走査方向指定アイコン４４は、ブック原稿３０に印刷された画像を上側から下側に向かって読む取る時に用いるアイコンであり、ブック原稿３０に係る印刷画像の上側が画像読取部７の読み取り開始位置である原稿載置台２３の図中左側付近に配置されるように、ブック原稿３０を画像読取部７の原稿載置台２３にセットする場合に、ユーザが押下する。なお、図４及び図５中の上側走査方向指定アイコン４４内の原稿台マーク４４Ａは原稿載置台２３を表し、ブック原稿マーク４４Ｂはブック原稿３０を表す。当該ブック原稿３０に係る文字の記載方向は、図中のブック原稿マーク４４ＢにおいてＡと記載された方向と同一である。同様に、ブック原稿コピー画面に設けられた下側走査方向指定アイコン４５は、第２の選択手段である。また、下側走査方向指定アイコン４５は、ブック原稿３０に印刷された画像を下側から上側に向かって読む取る時に用いるアイコンであり、ブック原稿３０に係る印刷画像の下側が画像読取部７の読み取り開始位置である原稿載置台２３の図中左側付近に配置されるように、ブック原稿３０を画像読取部７の原稿載置台２３にセットする場合に、ユーザが押下する。なお、図４及び図５中の下側走査方向指定アイコン４５内の原稿台マーク４５Ａは原稿載置台２３を表し、ブック原稿マーク４５Ｂはブック原稿３０を表す。当該ブック原稿３０に係る文字の記載方向は、図中のブック原稿マーク４５ＢにおいてＡと記載された方向と同一である。
【００２２】
ブック原稿コピー画面に設けられた上側選択表示ランプ４６は、ユーザが上側走査方向指定アイコン４４を押下した場合に点灯するランプであり、カラースタートアイコン４１又はモノクロスタートアイコン４２を選択すると、ブック原稿３０に印刷された画像が上側から下側に向かって読む取られる状態にあることを表示する。同様に、下側選択表示ランプ４７は、ユーザが下側走査方向指定アイコン４５を押下した場合に点灯するランプであり、カラースタートアイコン４１又はモノクロスタートアイコン４２を選択すると、ブック原稿３０に印刷された画像が下側から上側に向かって読む取られる状態にあることを表示する。
【００２３】
次に、本発明の実施形態の画像処理装置１の動作について説明する。図６に画像処理装置１の動作に係るフローチャートを示す。
【００２４】
画像処理装置１のユーザが画像読取部７の原稿載置台２３にブック原稿３０をセットして、画像読取部７に設けられた操作パネル４を操作することにより、画像処理装置１の動作に係るシーケンスが開始される(Ｓ１)。次に、画像処理装置１内に設けられた画像制御部６の制御に基づいて、設定記憶部５内に設けられた方向指定状態５Ａが０に設定される。すなわち、ブック原稿３０に係る印刷画像の上側が画像読取部７の読み取り開始位置である原稿載置台２３の図２左側に配置されることを前提とした設定となる(Ｓ２)。次に、画像制御部６により、操作パネル４にブック原稿コピー画面４０が表示される(Ｓ３)。次に、操作パネル４により、ブック原稿コピー画面４０に設けられたアイコンが押下されたか否かを判定し、押下されたアイコンが有る場合(Ｙｅｓ)には手順５に進み、押下されたアイコンが無い場合(Ｎｏ)には手順４に戻る(Ｓ４)。次に手順５に進むと、操作パネル４により、ブック原稿コピー画面４０内で押下されたアイコンが上側走査方向指定アイコン４４又は下側走査方向指定アイコン４５であるか否かを判定し、押下されたアイコンが上側走査方向指定アイコン４４又は下側走査方向指定アイコン４５である場合(Ｙｅｓ)には手順６に進み、押下されたアイコンが上側走査方向指定アイコン４４又は下側走査方向指定アイコン４５ではない場合(Ｎｏ)には手順７に進む(Ｓ５)。
【００２５】
手順５から手順６に進むと、画像制御部６の制御に基づき、押下されたアイコンが上側走査方向指定アイコン４４の場合には、上側選択表示ランプ４６が点灯し、且つ、現在指定されている読み込み方向として方向指定状態５Ａを数値０で保持する。同様に、押下されたアイコンが下側走査方向指定アイコン４５の場合には、下側選択表示ランプ４７が点灯し、且つ、現在指定されている読み込み方向として方向指定状態５Ａを数値１で保持する。その後、手順３に戻る(Ｓ６)。次に手順５から手順７に進むと、操作パネル４により、ブック原稿コピー画面４８内で押下されたアイコンがカラースタートアイコン４１又はモノクロスタートアイコン４２であるか否かを判定し、押下されたアイコンがカラースタートアイコン４１又はモノクロスタートアイコン４２である場合(Ｙｅｓ)には手順８に進み、押下されたアイコンがカラースタートアイコン４１又はモノクロスタートアイコン４２ではない場合(Ｎｏ)には手順１２に進む(Ｓ７)。次に手順７から手順８に進むと、操作パネル４は、コピー動作開始を画像制御部６に通知する。画像制御部６は、画像読取部７に対してブック原稿３０に印刷された画像を読み取るように指示する。画像読取部７は、ブック原稿３０に印刷された画像を読み取り画像データに変換する。当該画像データは画像読取部７からメモリ領域３に送信されて格納される。その後、画像読取部７から画像制御部６に対してブック原稿３０の読み込み動作が完了したことが通知される(Ｓ８)。
【００２６】
手順９に進むと、方向判断部８は、画像制御部６の指示に基づいて、ブック原稿３０に係る印刷画像の下側が画像読取部７の読み取り開始位置である原稿載置台２３の図３左側に配置されるように、ブック原稿３０を画像読取部７の原稿載置台２３にセットされているか否かを判定する。具体的には、方向判断部８は、設定記憶部５内に設けられた方向指定状態５Ａが１に設定されているか否かを判定し、方向指定状態５Ａが１に設定されている場合(Ｙｅｓ)には手順１０に進み、方向指定状態５Ａが１に設定されていない場合(Ｎｏ)には手順１１に進む。なお、方向判断部８は判定結果を画像制御部６へ送信する(Ｓ９)。次に手順１０に進むと、画像制御部６は、画像回転部９に対して画像読取部７で読み取られたブック原稿３０に係る画像データの向きを１８０度回転するように指示する。当該画像回転部９は、メモリ領域３に格納されている画像データの向きを１８０度回転した画像に変換して、メモリ領域３に再度格納した後に、画像制御部６に通知する(Ｓ１０)。次に手順９又は手順１０から手順１１に進むと、画像制御部６が画像印刷部１０に画像データの印刷を指示し、画像印刷部１０が当該画像データを印刷した後、手順４に戻る。手順４に戻り、ユーザが画像読取部７の原稿載置台２３にブック原稿３０の次のページ等をセットして、画像読取部７に設けられた操作パネル４を操作すると、手順４以降の動作が繰り返し実行される(Ｓ１１)。なお、手順７から手順１２に進むと、ブック原稿コピー画面にてストップアイコン４３が押下されたことにより、画像制御部６はブック原稿３０のコピー動作を終了する(Ｓ１２)。
【００２７】
以上、第１の実施形態に係る画像処理装置１によれば、ユーザが画像読取部７の原稿載置台２３にブック原稿３０をセットした後に、画像読取部７に設けられた操作パネル４を操作することにより、ブック原稿３０に対する画像読み込み方向をページ毎に指示する。従って、原稿載置台２３に設けられた原稿台カバー２１にブック原稿３０が接触して干渉することにより、ブック原稿３０を並行移動等できないため、載置向きを上下に反転させたブック原稿３０を画像読取部７の原稿載置台２３にセットすることにより、画像読取部７により読み取られたブック原稿３０の画像が１ページごとに反転していても、逆向きで読み取られたページは反転してから出力されることにより、全てのページの方向が揃った出力画像を得ることができる。
【００２８】
［第２の実施形態］
次に、本発明の第２の実施形態に係る画像処理装置１５について説明する。なお、第２の実施形態においては、ブック原稿３０の原稿読み込み方向を１ページ毎に指定する代わりに、ブック原稿３０の先頭ページに係る原稿読み込み方向を指定すれば、２ページ目以降は１ページおきに読み込んだ原稿データが反転することにより、第１の実施形態と比較して原稿読み込む方向の指定に係る操作が大幅に簡略化できることに特徴を有し、それ以外の画像処理装置１５に係る構成は、第１の実施形態で述べた画像処理装置１の構成と同様である。このため、第２の実施形態においては、第１の実施形態と異なる構成を中心にして具体的に説明する。
【００２９】
まず、画像読取部７に設けられた操作パネル４に係る構成及び動作の詳細について、図７乃至図９を参照しながら説明する。図７乃及び図９に操作パネル４に表示されたブック原稿コピー画面の模式図を示す。
【００３０】
操作パネル４におけるブック原稿コピー画面には、第１の実施形態と同様の構成部材であるカラースタートアイコン５１、モノクロスタートアイコン５２、及びストップアイコン５４に加えて、第２の実施形態に特有の読み飛ばしアイコン５３、先頭ページ上側走査方向指定アイコン５５、及び先頭ページ下側走査方向指定アイコン５６が設けられる。複数の当該アイコンを画像処理装置１５のユーザが選択して押下することにより、画像読取部７に載置されたブック原稿３０の読み取り条件を設定する。なお、図７は操作パネル４におけるブック原稿３０に印刷された画像を読み取るブック原稿コピー画面５０に係る模式図である。同様に、図８は操作パネル４のブック原稿コピー画面５０において、先頭ページ上側走査方向指定アイコン５５が押下された場合のブック原稿コピー画面５９Ａに係る模式図である。同様に、図９は操作パネル４のブック原稿コピー画面５０において、先頭ページ下側走査方向指定アイコン５６が押下された場合のブック原稿コピー画面５９Ｂに係る模式図である。以下、ブック原稿コピー画面に設けられた第２の実施形態に特有の読み飛ばしアイコン５３、先頭ページ上側走査方向指定アイコン５５、及び先頭ページ下側走査方向指定アイコン５６を中心にして説明する。
【００３１】
ブック原稿コピー画面に設けられた読み飛ばしアイコン５３は、画像読取部７の原稿載置台２３にセットしたページのブック原稿３０のコピーを行わない場合に選択するアイコンである。また、先頭ページ上側走査方向指定アイコン５５は、ユーザが画像読取部７の原稿載置台２３にセットした最初に読み取られるブック原稿３０に印刷された原稿が、通常通り上側から下側に読まれる場合に選択するアイコンである。また、先頭ページ上側ランプ５７は、図８に示すように、ユーザが先頭ページ上側走査方向指定アイコン５５を押下した場合に点灯するランプである。同様に、先頭ページ下側走査方向指定アイコン５６は、ユーザが画像読取部７の原稿載置台２３にセットした最初に読み取られるブック原稿３０に印刷された原稿が、上下を反転させてから読む必要がある場合に選択するアイコンである。また、先頭ページ下側ランプ５８は、図９に示すように、ユーザが先頭ページ下側走査方向指定アイコン５６を押下した場合に点灯するランプである。
【００３２】
次に、本発明の第２の実施形態に係る画像処理装置１５の動作について説明する。図１０及び図１１に画像処理装置１５の動作に係るフローチャートを分割して示す。
【００３３】
画像処理装置１５のユーザが画像読取部７の原稿載置台２３にブック原稿３０をセットして、画像読取部７に設けられた操作パネル４を操作することにより、画像処理装置１５の動作に係るシーケンスが開始される(Ｓ２１)。次に、画像制御部６により、操作パネル４にブック原稿コピー画面５０が表示される(Ｓ２２)。次に、操作パネル４により、先頭ページ上側走査方向指定アイコン５５又は先頭ページ下側走査方向指定アイコン５６が押下されたか否かを判定し、当該アイコンのいずれかが押下された場合(Ｙｅｓ)には手順２４に進み、当該アイコンのいずれも押下されていない場合(Ｎｏ)には手順２３に戻る(Ｓ２３)。次に手順２４に進むと、画像制御部６の制御に基づき、押下されたアイコンが先頭ページ上側走査方向指定アイコン５５である場合には、ブック原稿３０に係るページの読み込み方向として方向指定状態５Ａを数値０で保持する。同様に、押下されたアイコンが先頭ページ下側走査方向指定アイコン５６である場合には、ブック原稿３０に係るページの読み込み方向として方向指定状態５Ａを数値１で保持する(Ｓ２４)。
【００３４】
手順２５に進むと、画像制御部６の制御に基づき、押下されたアイコンが先頭ページ上側走査方向指定アイコン５５である場合には、図７に示すブック原稿コピー画面５０から図８に示すブック原稿コピー画面５９Ａに更新され、先頭ページ上側選択表示ランプ５７が点灯する。同様に、押下されたアイコンが先頭ページ下側走査方向指定アイコン５６である場合には、図７に示すブック原稿コピー画面５０から図９に示すブック原稿コピー画面５９Ｂに更新され、先頭ページ下側選択表示ランプ５８が点灯する(Ｓ２５)。次に、操作パネル４により、ブック原稿コピー画面５９Ａ又はブック原稿コピー画面５９Ｂに設けられたアイコンが押下されたか否かを判定し、押下されたアイコンが有る場合(Ｙｅｓ)には手順２７に進み、押下されたアイコンが無い場合(Ｎｏ)には手順２６に戻る(Ｓ２６)。次に手順２７に進むと、操作パネル４により、ブック原稿コピー画面５９Ａ又はブック原稿コピー画面５９Ｂ内で押下されたアイコンが読み飛ばしアイコン５３であるか否かを判定し、押下されたアイコンが読み飛ばしアイコン５３である場合(Ｙｅｓ)には手順３５に進み、押下されたアイコンが読み飛ばしアイコン５３ではない場合(Ｎｏ)には手順２８に進む(Ｓ２７)。
【００３５】
手順２７から手順２８に進むと、操作パネル４により、ブック原稿コピー画面５９Ａ又はブック原稿コピー画面５９Ｂ内で押下されたアイコンがカラースタートアイコン５１又はモノクロスタートアイコン５２であるか否かを判定し、押下されたアイコンがカラースタートアイコン５１又はモノクロスタートアイコン５２である場合(Ｙｅｓ)には手順２９に進み、押下されたアイコンがカラースタートアイコン５１又はモノクロスタートアイコン５２ではない場合(Ｎｏ)には手順３６に進む(Ｓ２８)。次に手順２８から手順２９に進むと、操作パネル４は、コピー動作開始を画像制御部６に通知する。画像制御部６は、画像読取部７に対してブック原稿３０に印刷された画像を読み取るように指示する。画像読取部７は、ブック原稿３０に印刷された画像を読み取り画像データに変換する。当該画像データは画像読取部７からメモリ領域３に送信されて格納される。その後、画像読取部７から画像制御部６に対してブック原稿３０の読み込み動作が完了したことが通知される(Ｓ２９)。
【００３６】
手順３０に進むと、方向判断部８は、画像制御部６の指示に基づいて、読み取られた画像データを回転させる必要が有るか否かを判定する。具体的には、方向判断部８は、設定記憶部５内に設けられた方向指定状態５Ａを読み出し、方向指定状態５Ａが０に設定されている場合には、例えば図２に示すように、イメージセンサ２２の走査方向に対するブック原稿３０の上下の向きが等しいことから、画像データの回転は不要と判断され手順３２に進む。同様に、方向指定状態５Ａが１に設定されている場合には、例えば図３に示すように、イメージセンサ２２の走査方向に対するブック原稿３０の上下の向きが逆であることから、画像データの回転が必要と判断され手順３１に進む。なお、方向判断部８は判定結果を画像制御部６へ送信する(Ｓ３０)。次に手順３１に進むと、画像制御部６は、画像回転部９に対して画像読取部７で読み取られたブック原稿３０に係る画像データの向きを１８０度回転するように指示する。当該画像回転部９は、メモリ領域３に格納されている画像データの向きを１８０度回転した画像に変換して、メモリ領域３に再度格納した後に、画像制御部６に通知する(Ｓ３１)。
【００３７】
手順３０又は手順３１から手順３２に進むと、画像制御部６が画像印刷部１０に画像データの印刷を指示し、画像印刷部１０が当該画像データを印刷する(Ｓ３２)。次に手順３３に進むと、画像制御部６は、設定記憶部５内に設けられた方向指定状態５Ａを読み出し、設定されている値と逆の値を設定する。具体的には、方向指定状態５Ａの設定値が０であれば１に更新し、方向指定状態５Ａの設定値が１であれば０に更新する(Ｓ３３)。次に手順２７から手順３５に進むと、手順３３と同様に、画像制御部６は、設定記憶部５内に設けられた方向指定状態５Ａを読み出し、設定されている値と逆の値を設定する(Ｓ３５)。次に手順３３又は手順３５から手順３４に進むと、画像制御部６は、操作パネル４へ画面の更新を指示する。その後、手順２６に戻り、ユーザが画像読取部７の原稿載置台２３にブック原稿３０の次のページ等をセットして、画像読取部７に設けられた操作パネル４を操作すると、手順２６以降の動作が繰り返し実行される(Ｓ３４)。なお、手順２８から手順３６に進むと、ブック原稿コピー画面５９Ａ又はブック原稿コピー画面５９Ｂにてストップアイコン５４が押下されたことにより、画像制御部６はブック原稿３０のコピー動作を終了する(Ｓ１２)。
【００３８】
以上、第２の実施形態に係る画像処理装置１５によれば、ユーザが画像読取部７の原稿載置台２３にブック原稿３０をセットした後に、画像読取部７に設けられた操作パネル４を操作してブック原稿３０に先頭ページに係る原稿読み込み方向を指定すると、２ページ目以降は１ページおきに読み込んだ原稿データが反転する。従って、第２の実施形態に係る画像処理装置１５は、第１の実施形態に係る画像処理装置１と比較して原稿読み込む方向の指定に係る操作が大幅に簡略化できる
【００３９】
［第３の実施形態］
次に、本発明の第３の実施形態に係る画像処理装置１６について説明する。なお、第３の実施形態においては、ユーザが画像読取部７の原稿載置台２３にブック原稿３０をセットして、画像読取部７に設けられた操作パネル４を操作すると、読込んだブック原稿３０に係る画像データの上下の向きを自動で判別するため、第１及び第２の実施形態と比較して原稿読み込み方向の指定に係る操作が不要であること特徴を有し、それ以外の画像処理装置１６に係る構成は、第１の実施形態で述べた画像処理装置１又は第２の実施形態で述べた画像処理装置１５に係る構成と同様である。このため、第３の実施形態においては、第１又は第２の実施形態と異なる構成を中心にして具体的に説明する。
【００４０】
まず、本実施形態の画像処理装置１６について、図１２を参照しながら説明する。図１２に画像処理装置１６の構成図を示す。
【００４１】
画像処理装置１６は、複数枚の原稿から画像データを読み取り、当該読み取った画像データを所定の向きに回転させた後に、記録媒体に印刷又はメモリに保存する。この様な画像処理装置１６は、第１及び第２の実施形態と同様の構成部材であるＣＰＵ２、メモリ領域３、操作パネル４、設定記憶部５、画像制御部６、画像読取部７、画像回転部９、及び画像印刷部１０に加えて、第３の実施形態に特有の画像認識部１１から構成される。すなわち、第１及び第２の実施形態における方向判断部８に代えて、画像認識部１１が設けられている。また、設定記憶部５には方向指定状態５Ａが設けられていない。当該画像認識部１１は、画像読取部７が読込んだブック原稿３０に係る画像データに基づいて、画像の上下の向きを判断する。
【００４２】
次に、画像処理装置１６に設けられた画像読取部７に係る動作の詳細について、図１３及び図１４を参照しながら説明する。図１３に画像読取部７を用いてブック原稿３０に印刷された画像を上側から下側に向かって読み取る状態を模式図で示す。また、図１４に画像読取部７を用いて載置向きを上下に反転させたブック原稿３０に印刷された画像を下側から上側に向かって読み取る状態を模式図で示す。
【００４３】
ブック原稿３０に印刷された画像を、ブック原稿３０の上側から下側の方向に向かって読み取る動作について、図１３を参照しながら説明する。ブック原稿３０に係る印刷画像の上側が画像読取部７の読み取り開始位置である原稿載置台２３の図中左端部に配置されるように、ブック原稿３０を画像読取部７の原稿載置台２３にセットする。ここで、ユーザが操作パネル４を操作して画像読取部７を動作させると、原稿載置台２３の図中左端部に配置されているイメージセンサ２２が、図中右端部に走査しながらブック原稿３０を読み取り、元の左端部に戻る。次に、ブック原稿３０に印刷された画像を、ブック原稿３０の下側から上側の方向に向かって読み取る動作について、図１４を参照しながら説明する。ブック原稿３０に係る印刷画像の下側が画像読取部７の読み取り開始位置である原稿載置台２３の図中右端部に配置されるように、載置向きを上下に反転させたブック原稿３０を画像読取部７の原稿載置台２３にセットする。ここで、ユーザが操作パネル４を操作して画像読取部７を動作させると、原稿載置台２３の図中左端部に配置されているイメージセンサ２２が、図中右端部に走査しながらブック原稿３０を読み取り、元の左端部に戻る。なお、操作パネル４の操作方法の詳細は後述する。
【００４４】
次に、画像読取部７に設けられた操作パネル４に係る構成及び動作の詳細について、図１５を参照しながら説明する。図１５に操作パネル４に表示されたブック原稿コピー画面６０の模式図を示す。
【００４５】
操作パネル４におけるブック原稿コピー画面６０には、第１及び第２の実施形態と同様の構成部材であるカラースタートアイコン６１、モノクロスタートアイコン６２、及びストップアイコン６３が設けられる。なお、第３の実施形態においては、ユーザが画像読取部７の原稿載置台２３にブック原稿３０をセットして、画像読取部７に設けられた操作パネル４を操作すると、読込んだブック原稿３０に係る画像データの上下の向きを自動判別するため、第１及び第２の実施形態で用いられているような走査方向指定アイコン及び選択表示ランプは設けられていない。
【００４６】
次に、画像読取部７で読み取られたブック原稿３０に係る画像データ７０について、図１６を参照しながら説明する。図１６に画像読取部７で読み取られたブック原稿３０に係る画像データ７０の模式図を示す。
【００４７】
図１６は、ブック原稿３０に係る印刷画像の上側が画像読取部７の読み取り開始位置である原稿載置台２３の図１３左端部に配置されるように、ブック原稿３０を画像読取部７の原稿載置台２３にセットした状態において、画像読取部７により読み取られたブック原稿３０に係る画像データ７０の模式図である。画像データ７０の周辺部は、原稿領域外として黒く表示されている。なお、画像データ７０において、画像データ７０の上端から最初に白色部分が現れるまでの黒色部分の長さを上端ライン数Ｌ１とし、画像データ７０の下端から最初に白色部分が現れるまでの黒色部分の長さを下端ライン数Ｌ２とする。なお、上端ライン数Ｌ１は下端ライン数Ｌ２よりも小さくなるように設定される。
【００４８】
次に、本発明の第３の実施形態に係る画像処理装置１６の動作について説明する。図１７及び図１８に画像処理装置１６の動作に係るフローチャートを分割して示す。
【００４９】
画像処理装置１６のユーザが画像読取部７の原稿載置台２３にブック原稿３０をセットして、画像読取部７に設けられた操作パネル４を操作することにより、画像処理装置１６の動作に係るシーケンスが開始される(Ｓ４０)。次に、画像制御部６により、操作パネル４にブック原稿コピー画面６０が表示される(Ｓ４１)。次に、操作パネル４により、ブック原稿コピー画面６０に設けられたアイコンが押下されたか否かを判定し、押下されたアイコンが有る場合(Ｙｅｓ)には手順４３に進み、押下されたアイコンが無い場合(Ｎｏ)には手順４２に戻る(Ｓ４２)。次に手順４３に進むと、操作パネル４により、ブック原稿コピー画面６０内で押下されたアイコンがカラースタートアイコン６１又はモノクロスタートアイコン６２であるか否かを判定し、押下されたアイコンがカラースタートアイコン６１又はモノクロスタートアイコン６２である場合(Ｙｅｓ)には手順４４に進み、押下されたアイコンがカラースタートアイコン６１又はモノクロスタートアイコン６２ではない場合(Ｎｏ)には手順５８に進む(Ｓ４３)。
【００５０】
手順４３から手順４４に進むと、操作パネル４は、コピー動作開始を画像制御部６に通知する。画像制御部６は、画像読取部７に対してブック原稿３０に印刷された画像を読み取るように指示する。画像読取部７は、ブック原稿３０に印刷された画像を読み取り画像データ７０に変換する。当該画像データ７０は画像読取部７からメモリ領域３に送信されて格納される。その後、画像読取部７から画像制御部６に対してブック原稿３０の読み込み動作が完了したことが通知される(Ｓ４４)。次に、画像認識部１１により、画像データ７０の参照開始位置を図１６に示した左上端に設定する(Ｓ４５)。次に、画像データ７０の領域範囲外に相当する黒色以外の画素が存在するか否かを確認するために、画像認識部１１により、画像データ７０の上端から左右に１ライン幅分の各画素を参照する(Ｓ４６)。次に、画像認識部１１により、画像データ７０に係る１ライン幅分の各画素に黒色以外の画素が含まれているか否かを判断し、黒色以外の画素が含まれている場合(Ｙｅｓ)には手順４９に進み、黒色以外の画素が含まれていない場合(Ｎｏ)には手順４８に進む(Ｓ４７)。次に手順４７から手順４８に進むと、画像認識部１１により、画像データ７０の認識箇所を一ライン下げてから認識箇所を更新して、手順４６に戻る。すなわち、１ライン分の全画素が黒色であれば、黒色以外の画素を検出するまで次ラインへの参照を繰り返す(Ｓ４８)。次に手順４７から手順４９に進むと、画像データ７０の上端から現在のラインまでの幅を上端間隔とする。すなわち、黒色以外の画素を検出したら、当該ライン数を上端からの距離する(Ｓ４９)。
【００５１】
手順４９から手順５０に進むと、画像認識部１１により、画像データ７０の参照開始位置を図１６に示した左下端に設定する(Ｓ５０)。次に、画像データ７０の領域範囲外に相当する黒色以外の画素が存在するか否かを確認するために、画像認識部１１により、画像データ７０の下端から左右に１ライン幅分の各画素を参照する(Ｓ５１)。次に、画像認識部１１により、画像データ７０に係る１ライン幅分の各画素に黒色以外の画素が含まれているか否かを判断し、黒色以外の画素が含まれている場合(Ｙｅｓ)には手順５４に進み、黒色以外の画素が含まれていない場合(Ｎｏ)には手順５３に進む(Ｓ５２)。次に手順５２から手順５３に進むと、画像認識部１１により、画像データ７０の認識箇所を一ライン上げてから認識箇所を更新して、手順５１に戻る。すなわち、１ライン分の全画素が黒色であれば、黒色以外の画素を検出するまで次ラインへの参照を繰り返す(Ｓ５３)。次に手順５２から手順５４に進むと、画像データ７０の下端から現在のラインまでの幅を下端間隔とする。すなわち、黒色以外の画素を検出したら、当該ライン数を下端からの距離とする(Ｓ５４)。次に、画像認識部１１は、手順４９にて抽出した上端間隔と手順５４にて抽出した下端間隔とを比較し、下端間隔が上端間隔を超えている場合には手順５６に進み、下端距離が上端距離以下である場合には手順５７に進む(Ｓ５５)。
【００５２】
手順５５から手順５６に進むと、画像制御部６は、画像回転部９に対して画像読取部７で読み取られたブック原稿３０に係る画像データ７０の向きを１８０度回転するように指示する。すなわち、下端間隔と比較して上端間隔の方が大きい場合には、図１４に示すような配置によりブック原稿３０を読込んだものと見なし、画像データ７０を回転させる。当該画像回転部９は、メモリ領域３に格納されている画像データ７０の向きを１８０度回転した画像に変換して、メモリ領域３に再度格納した後に、画像制御部６に通知する(Ｓ５６)。次に手順５５又は手順５６から手順５７に進むと、画像制御部６が画像印刷部１０に画像データ７０の印刷を指示し、画像印刷部１０が当該画像データ７０を印刷した後、手順４２に戻る。手順４２に戻り、ユーザが画像読取部７の原稿載置台２３にブック原稿３０の次のページ等をセットして、画像読取部７に設けられた操作パネル４を操作すると、手順４２以降の動作が繰り返し実行される(Ｓ５７)。なお、手順４３から手順５８に進むと、ブック原稿コピー画面６０にてストップアイコン６３が押下されたことにより、画像制御部６はブック原稿３０のコピー動作を終了する(Ｓ５８)。
【００５３】
以上、第３の実施形態に係る画像処理装置１６によれば、ユーザが画像読取部７の原稿載置台２３にブック原稿３０をセットして、画像読取部７に設けられた操作パネル４を操作すると読込んだブック原稿３０に係る画像データ７０の上下の向きを自動判別する。従って、第１及び第２の実施形態と比較して原稿読み込む方向の指定に係る操作が不要であることから、コピー操作が大幅に簡略化できる。
【００５４】
［第４の実施形態］
次に、本発明の第４の実施形態に係る画像処理装置１７について説明する。なお、第４の実施形態においては、ユーザが画像読取部７の原稿載置台２３に識別用栞を挟み込んだブック原稿３０をセットして、画像読取部７に設けられた操作パネル４を操作すると、読込んだブック原稿３０に挟み込まれた識別用栞に係る特定パタンにより画像データの上下の向きを自動判別する。このため、第３の実施形態と比較して、ブック原稿３０が原稿載置台２３に対して正しく左寄せして配置又は右寄せして配置されていない場合においても、ブック原稿３０に係る画像データの上下方向を誤判断することがないことに特徴を有し、それ以外の画像処理装置１７に係る構成は、第３の実施形態で述べた画像処理装置１６に係る構成と同様である。このため、第４の実施形態においては、第３の実施形態と異なる構成を中心にして具体的に説明する。
【００５５】
まず、本実施形態の画像処理装置１７について、図１９を参照しながら説明する。図１９に画像処理装置１７の構成図を示す。
【００５６】
画像処理装置１７は、複数枚の原稿から画像データを読み取り、当該読み取った画像データを所定の向きに回転させた後に、記録媒体に印刷又はメモリに保存する。この様な画像処理装置１７は、第３の実施形態と同様の構成部材であるＣＰＵ２、メモリ領域３、操作パネル４、設定記憶部５、画像制御部６、画像読取部７、画像回転部９、及び画像印刷部１０、及び画像認識部１１から構成される。また、設定記憶部５内に、第４の実施形態に特有である識別用パタン情報５Ｂが設けられる。当該識別用パタン情報５Ｂは、ブック原稿３０に挟み込まれた識別用栞８０に係る特定パタンを識別する。
【００５７】
まず、識別用栞８０について、図２０乃至図２２を参照しながら説明する。図２０に識別用栞８０の模式図を示し、図２１に識別用栞８０に係る識別用パタン情報源８１の模式図を示す。また、図２２にブック原稿９０に識別用栞９１及び識別用栞９２を挟んだ模式図を示す。
【００５８】
識別用栞８０は、目印であり、画像処理装置１７の付属品として備えられる。この様な識別用栞８０は、例えばプラスチック製の略長方形状部から形成され、白地に数本の黒色の縦線の模様で印刷されている。また、識別用パタン情報源８１は、図２１の左端の白色部分の幅を１として、右側に形成された白線及び黒線の幅を当該幅１に対する比率値により読み取られる。なお、図２２に示すように、識別用栞８０は、ブック原稿９０の表紙と背表紙を開いたページに、識別用栞９１及び識別用栞９２をそれぞれ挟むことにより固定される。
【００５９】
次に、画像処理装置１７に設けられた画像読取部７に係る動作の詳細について、図２３及び図２４を参照しながら説明する。図１３に画像読取部７を用いて識別用栞９１及び識別用栞９２を挟み込んだブック原稿９０に印刷された画像を上側から下側に向かって読み取る状態を模式図で示す。また、図１４に画像読取部７を用いて載置向きを上下に反転させた識別用栞９１及び識別用栞９２を挟み込んだブック原稿９０に印刷された画像を下側から上側に向かって読み取る状態を模式図で示す。
【００６０】
識別用栞９１が挟み込まれたブック原稿９０に印刷された画像を、ブック原稿９０の上側から下側の方向に向かって読み取る動作について、図２３を参照しながら説明する。識別用栞９１が挟み込まれたブック原稿９０に係る印刷画像の上側が画像読取部７の読み取り開始位置である原稿載置台２３の図中左側付近に配置されるように、ブック原稿９０を画像読取部７の原稿載置台２３にセットする。ここで、ユーザが操作パネル４を操作して画像読取部７を動作させると、原稿載置台２３の図中左端部に配置されているイメージセンサ２２が、図中右端部に走査しながら識別用栞９１及びブック原稿９０を読み取り、元の左端部に戻る。次に、識別用栞９２が挟み込まれたブック原稿９０に印刷された画像を、ブック原稿９０の下側から上側の方向に向かって読み取る動作について、図２４を参照しながら説明する。識別用栞９２が挟み込まれたブック原稿９０に係る印刷画像の下側が画像読取部７の読み取り開始位置である原稿載置台２３の図中左側付近に配置されるように、載置向きを上下に反転させたブック原稿９０を画像読取部７の原稿載置台２３にセットする。ここで、ユーザが操作パネル４を操作して画像読取部７を動作させると、原稿載置台２３の図中左端部に配置されているイメージセンサ２２が、図中右端部に走査しながら識別用栞９２及びブック原稿９０を読み取り、元の左端部に戻る。なお、操作パネル４の操作方法の詳細は後述する。
【００６１】
次に、画像読取部７に設けられた操作パネル４に係る構成及び動作の詳細について、図２５を参照しながら説明する。図２５に操作パネル４に表示されたブック原稿コピー画面１００の模式図を示す。
【００６２】
操作パネル４におけるブック原稿コピー画面１００には、第１乃至第３の実施形態と同様の構成部材であるカラースタートアイコン１０１、モノクロスタートアイコン１０２、及びストップアイコン１０３が設けられる。なお、第４の実施形態においては、ユーザが画像読取部７の原稿載置台２３に識別用栞９１及び識別用栞９２を挟み込んだブック原稿９０をセットして、画像読取部７に設けられた操作パネル４を操作すると、読込んだブック原稿９０に係る画像データの上下の向きを自動判別するため、第１及び第２の実施形態で用いられている走査方向指定アイコン及び選択表示ランプは設けられていない。
【００６３】
次に、画像読取部７で読み取られたブック原稿９０に係る画像データについて、図２６を参照しながら説明する。図２６に画像読取部７で読み取られた識別用栞９１及び識別用栞９２を挟み込んだブック原稿９０に係る画像データの模式図を示す。
【００６４】
図２６(ａ)は、識別用栞９１が挟み込まれたブック原稿９０に係る印刷画像の上側が画像読取部７の読み取り開始位置である原稿載置台２３の図中左側付近に配置されるように、ブック原稿９０が画像読取部７の原稿載置台２３にセットされた状態において、画像読取部７により読み取られたブック原稿９０に係る画像データ１１０の模式図である。なお、識別用栞９１は、画像データ１１０に係る図２６(ａ)の上部に識別用栞画像１１１として現れる。同様に、図２６(ｂ)は、識別用栞９２が挟み込まれたブック原稿９０に係る印刷画像の下側が画像読取部７の読み取り開始位置である原稿載置台２３の図中左側付近に配置されるように、載置向きを上下に反転させたブック原稿９０が画像読取部７の原稿載置台２３にセットされた状態において、画像読取部７により読み取られたブック原稿９０に係る画像データ１１２の模式図である。なお、識別用栞９２は、画像データ１１２に係る図２６(ｂ)の下部に識別用栞画像１１３として現れる。
【００６５】
次に、本発明の第４の実施形態に係る画像処理装置１７の動作について説明する。図２７に画像処理装置１７の動作に係るフローチャートを示す。
【００６６】
画像処理装置１７のユーザが画像読取部７の原稿載置台２３に識別用栞９１及び識別用栞９２を挟み込んだブック原稿９０をセットして、画像読取部７に設けられた操作パネル４を操作することにより、画像処理装置１７の動作に係るシーケンスが始まる(Ｓ６１)。なお、手順６１乃至手順６８は、図１７を参照しながら前述した第３の実施形態に係るフローチャートの手順４１乃至手順４８と同様であるため、説明を省略する。次に手順６７から手順６９に進むと、その画素以降の画像データをlラインの終端までメモリ領域３に書き出し、画像が有る区間と無い区間の画素数の比率を求める(Ｓ６９)。次に、画像抽出部１１は、識別用パタン情報５Ｂを参照し、識別用パタン情報５Ｂに係る特定パタン間隔の比率と手順６９で求めた画像パタンの比率が同等であれば、識別用栞がブック原稿９０の先頭に存在して回転処理が不要のページと判断されることから手順７２に進む。また、識別用パタン情報５Ｂのパタン間隔の比率と手順６９で求めた画像パタンの比率が異なれば、抽出した特定パタンは識別用栞ではなく原稿部分であり回転処理が必要と判断されることから、手順７１に進む。なお、画像抽出部１１は、判定結果を画像制御部６に送信する(Ｓ７０)。なお、手順７１乃至手順７３は、図１７及び図１８を参照しながら前述した第３の実施形態に係るフローチャートの手順５６乃至手順５８と同様であるため、説明を省略する。
【００６７】
以上、第４の実施形態に係る画像処理装置１７によれば、ユーザが画像読取部７の原稿載置台２３に識別用栞９１及び識別用栞９２を挟み込んだブック原稿９０をセットして、画像読取部７に設けられた操作パネル４を操作すると、読込んだブック原稿９０に挟み込まれた識別用栞９１及び識別用栞９２に係る特定パタンにより画像データの上下の向きを自動判別する。従って、第３の実施形態と比較して、ブック原稿９０が原稿載置台２３に対して正しく左寄せして配置又は右寄せして配置されていない場合においても、ブック原稿９０に係る画像データの上下方向を誤って判断することがない。
【００６８】
なお、上述した第１乃至第４の実施形態においては、画像処理装置を印刷複合機として説明したが、画像を処理する装置であるスキャナ、複写機、ファクシミリ装置、及び自動原稿読み取り装置などに適用しても良い。また、第１乃至第４の実施形態においては、画像制御部６により、画像の回転が必要な画像データを回転した状態で、且つ、画像の回転が不要な画像データはそのままの状態で、画像印刷部１０に印刷を指示する構成としたが、着脱可能な例えばＵＳＢメモリ等を画像処理装置に接続し、画像の回転が必要な画像データを回転した状態で記憶し、且つ、画像の回転が不要な画像データはそのままの状態で記憶する構成としても良い。同様に、第１乃至第４の実施形態においては、画像制御部６により、外部装置であるコンピュータを画像処理装置に接続し、画像の回転が必要な画像データを回転した状態で送信し、且つ、画像の回転が不要な画像データはそのままの状態で送信する構成としても良い。
【００６９】
同様に、第１乃至第４の実施形態においては、画像回転部９が画像読取部７であるスキャナと一体で構成されているが、回転が必要な画像データに方向判断部８の情報を関連付けた状態で、画像データの回転処理は行わずに、着脱自在な例えばＵＳＢメモリに記憶したり、又は外部装置であるコンピュータに送信した後に、方向判断部８の情報が関連付けられた画像データの画像回転処理を行う構成としても良い。また、第３の実施形態においては、ブック原稿３０外の領域から原稿の上下方向を抽出したが、ブック原稿３０の厚みから発生するグラデーション状の影から原稿の上下方向を抽出する構成としても良い。同様に、第３の実施形態においては、画像データ７０に係る上端距離抽出及び下端距離抽出において、黒色以外の画素の検出の代わりに、ブック原稿幅分の空白部位が現われたラインを原稿までの距離を検出する構成としても良い。
【図面の簡単な説明】
【００７０】
【図１】本発明の第１及び第２の実施形態の画像処理装置を示す構成図である。
【図２】本発明の第１の実施形態の画像処理装置に係る画像読取部を用いてブック原稿に印刷された画像を上側から下側に向かって読み取る状態を示す模式図である。
【図３】本発明の第１の実施形態の画像処理装置に係る画像読取部を用いて載置向きを上下に反転させたブック原稿に印刷された画像を下側から上側に向かって読み取る状態を示す模式図である。
【図４】本発明の第１の実施形態の画像処理装置に係る操作パネルに表示されたブック原稿コピー画面を示す模式図である。
【図５】本発明の第１の実施形態の画像処理装置に係る操作パネルに表示されたブック原稿コピー画面を示す模式図である。
【図６】本発明の第１の実施形態の画像処理装置に係る動作の流れを示すフローチャートである。
【図７】本発明の第２の実施形態の画像処理装置に係る操作パネルに表示されたブック原稿コピー画面を示す模式図である。
【図８】本発明の第２の実施形態の画像処理装置に係る操作パネルに表示されたブック原稿コピー画面を示す模式図である。
【図９】本発明の第２の実施形態の画像処理装置に係る操作パネルに表示されたブック原稿コピー画面を示す模式図である。
【図１０】本発明の第２の実施形態の画像処理装置に係る動作の流れを示すフローチャートである。
【図１１】本発明の第２の実施形態の画像処理装置に係る動作の流れを示すフローチャートである。
【図１２】本発明の第３の実施形態の画像処理装置を示す構成図である。
【図１３】本発明の第３の実施形態の画像処理装置に係る画像読取部を用いてブック原稿に印刷された画像を上側から下側に向かって読み取る状態を示す模式図である。
【図１４】本発明の第３の実施形態の画像処理装置に係る画像読取部を用いて載置向きを上下に反転させたブック原稿に印刷された画像を下側から上側に向かって読み取る状態を示す模式図である。
【図１５】本発明の第３の実施形態の画像処理装置に係る操作パネルに表示されたブック原稿コピー画面を示す模式図である。
【図１６】本発明の第３の実施形態の画像処理装置に係る画像読取部で読み取られたブック原稿に係る画像データを示す模式図である。
【図１７】本発明の第３の実施形態の画像処理装置に係る動作の流れを示すフローチャートである。
【図１８】本発明の第３の実施形態の画像処理装置に係る動作の流れを示すフローチャートである。
【図１９】本発明の第４の実施形態の画像処理装置を示す構成図である。
【図２０】本発明の第４の実施形態の画像処理装置に係る識別用栞を示す模式図である。
【図２１】本発明の第４の実施形態の画像処理装置に係る識別用栞の識別用パタン情報源を示す模式図である。
【図２２】本発明の第４の実施形態の画像処理装置に係るブック原稿に識別用栞を挟んだ状態を示す模式図である。
【図２３】本発明の第４の実施形態の画像処理装置に係る画像読取部を用いてブック原稿に印刷された画像を上側から下側に向かって読み取る状態を示す模式図である。
【図２４】本発明の第４の実施形態の画像処理装置に係る画像読取部を用いて載置向きを上下に反転させたブック原稿に印刷された画像を下側から上側に向かって読み取る状態を示す模式図である。
【図２５】本発明の第４の実施形態の画像処理装置に係る操作パネルに表示されたブック原稿コピー画面を示す模式図である。
【図２６】本発明の第４の実施形態の画像処理装置に係る画像読取部で読み取られた識別用栞を挟み込んだブック原稿の画像データを示す模式図である。
【図２７】本発明の第４の実施形態の画像処理装置に係る動作の流れを示すフローチャートである。
【符号の説明】
【００７１】
１  画像処理装置
２  ＣＰＵ
３  メモリ領域
４  操作パネル
５  設定記憶部
５Ａ  方向指定状態
５Ｂ  識別用パタン情報
６  画像制御部
７  画像読取部
８  方向判断部
９  画像回転部
１０  画像印刷部
１１  画像認識部
１５  画像処理装置
１６  画像処理装置
１７  画像処理装置
２０  筐体
２１  原稿台カバー
２２  イメージセンサ
２３  原稿載置台
３０  ブック原稿
４０  ブック原稿コピー画面
４１  カラースタートアイコン
４２  モノクロスタートアイコン
４３  ストップアイコン
４４  上側走査方向指定アイコン
４４Ａ  原稿台マーク
４４Ｂ  ブック原稿マーク
４５  下側走査方向指定アイコン
４５Ａ  原稿台マーク
４５Ｂ  ブック原稿マーク
４６  上側選択表示ランプ
４７  下側選択表示ランプ
４８  ブック原稿コピー画面
５０  ブック原稿コピー画面
５１  カラースタートアイコン
５２  モノクロスタートアイコン
５３  読み飛ばしアイコン
５４  ストップアイコン
５５  先頭ページ上側走査方向指定アイコン
５６  先頭ページ下側走査方向指定アイコン
５７  先頭ページ上側ランプ
５８  先頭ページ下側ランプ
５９Ａ  ブック原稿コピー画面
５９Ｂ  ブック原稿コピー画面
６０  ブック原稿コピー画面
６１  カラースタートアイコン
６２  モノクロスタートアイコン
６３  ストップアイコン
７０  画像データ
８０  識別用栞
８１  識別用パタン情報源
９０  ブック原稿
９１  識別用栞
９２  識別用栞
１００  ブック原稿コピー画面
１０１  カラースタートアイコン
１０２  モノクロスタートアイコン
１０３  ストップアイコン
１１０  画像データ
１１１  識別用栞画像
１１２  画像データ
１１３  識別用栞画像
Ｌ１  上端ライン数
Ｌ２  下端ライン数
【図１】
2010087852.tif 000003
【図２】
2010087852.tif 000004
【図３】
2010087852.tif 000005
【図４】
2010087852.tif 000006
【図５】
2010087852.tif 000007
【図６】
2010087852.tif 000008
【図７】
2010087852.tif 000009
【図８】
2010087852.tif 000010
【図９】
2010087852.tif 000011
【図１０】
2010087852.tif 000012
【図１１】
2010087852.tif 000013
【図１２】
2010087852.tif 000014
【図１３】
2010087852.tif 000015
【図１４】
2010087852.tif 000016
【図１５】
2010087852.tif 000017
【図１６】
2010087852.tif 000018
【図１７】
2010087852.tif 000019
【図１８】
2010087852.tif 000020
【図１９】
2010087852.tif 000021
【図２０】
2010087852.tif 000022
【図２１】
2010087852.tif 000023
【図２２】
2010087852.tif 000024
【図２３】
2010087852.tif 000025
【図２４】
2010087852.tif 000026
【図２５】
2010087852.tif 000027
【図２６】
2010087852.tif 000028
【図２７】
2010087852.tif 000029